(57)【要約】【課題】放射線画像を解析して得られた解析画像を、使用する表示装置に最適な形で表示できるようにする。【解決手段】放射線画像表示制御装置４は、放射線画像を解析して得られる解析画像を取得する画像取得手段と、解析画像に施すことが可能な複数の画像処理方法の中から何れかを選択する処理方法選択手段と、選択された画像処理方法で解析画像に画像処理を施す画像処理手段と、画像処理が施された処理済み解析画像を表示装置へ出力する画像出力手段と、を備える。【選択図】図４
2020010786.tif 000002
【特許請求の範囲】
【請求項１】
放射線画像を解析して得られる解析画像を取得する画像取得手段と、
前記解析画像に施すことが可能な複数の画像処理方法の中から何れかを選択する処理方法選択手段と、
選択された画像処理方法で前記解析画像に画像処理を施す画像処理手段と、
画像処理が施された処理済み解析画像を表示装置へ出力する画像出力手段と、を備えることを特徴とする放射線画像表示制御装置。
【請求項２】
前記表示装置の性能を判別する表示装置情報判別手段を備え、
前記処理方法選択手段は、判別した前記表示装置の性能に基づいて、画像処理方法を自動で選択することを特徴とする請求項１に記載の放射線画像表示制御装置。
【請求項３】
ユーザーが操作可能な操作部を有し、
前記処理方法選択手段は、前記操作部になされた操作に基づいて、画像処理方法を選択することを特徴とする請求項１に記載の放射線画像表示制御装置。
【請求項４】
解析画像の読影環境を判別する環境情報判別手段を備え、
前記処理方法選択手段は、判別した読影環境に基づいて、画像処理方法を自動で選択することを特徴とする請求項１に記載の放射線画像表示制御装置。
【請求項５】
前記表示装置情報判別手段は、前記表示装置の性能として、モノクロ表示を行うか、カラー表示を行うかを判別することを特徴とする請求項２に記載の放射線画像表示制御装置。
【請求項６】
前記表示装置情報判別手段は、前記表示装置の性能として、画面の解像度を判別することを特徴とする請求項２に記載の放射線画像表示制御装置。
【請求項７】
前記解析画像は、解析を施す前の原画像に解析結果を重畳した重畳画像であり、
前記画像処理手段は、前記解析結果を補間強調する、前記解析結果のコントラストを上げる、前記解析結果を密度で表示する、前記原画像をぼかす、前記原画像を輪郭のみとする、のうちの少なくともいずれかの画像処理を施すことを特徴とする請求項１から６のいずれか一項に記載の放射線画像表示制御装置。
【請求項８】
放射線画像を取得する画像取得手段と、
取得した前記放射線画像を解析して解析画像を生成する画像解析手段と、
前記解析画像に施すことが可能な複数の画像処理方法の中から何れかを選択する処理方法選択手段と、
選択された画像処理方法で前記解析画像に画像処理を施す画像処理手段と、
画像処理が施された処理済み解析画像を表示装置へ出力する画像出力手段と、を備えることを特徴とする放射線画像解析装置。
【請求項９】
放射線画像を生成可能な放射線画像撮影装置と、
前記放射線画像撮影装置が生成した放射線画像を解析して解析画像を生成する放射線画像解析装置と、
請求項１から７のいずれか一項に記載の放射線画像表示制御装置と、
前記放射線画像表示制御装置が出力した処理済み解析画像を表示する表示装置と、を備えることを特徴とする放射線撮影システム。
【請求項１０】
放射線画像を生成可能な放射線画像撮影装置と、
請求項８に記載の放射線画像解析装置と、
前記放射線画像表示制御装置が出力した処理済み解析画像を表示する表示装置と、を備えることを特徴とする放射線撮影システム。
【発明の詳細な説明】
【技術分野】
【０００１】
本発明は、放射線画像表示制御装置、放射線画像解析装置及び放射線撮影システムに関する。
【背景技術】
【０００２】
近年、放射線画像撮影装置等のデジタル化により、放射線画像の読影は、診察室に備えられたＰＣのモニター等で行うことができるようになってきている。
しかしながら、こうしたモニターは、カラー表示を前提とするカラーモニターであることがほとんどであるのに対し、通常の放射線画像はモノクロの画像である。
そこで、特許文献１に記載されたような、モノクロの放射線画像をカラーモニターに診断に適した表示形態で表示できるようにする方法が提案されている。
【先行技術文献】
【特許文献】
【０００３】
【特許文献１】特開２０００−３３０５３０号公報
【発明の概要】
【発明が解決しようとする課題】
【０００４】
近年、放射線画像に所定の画像処理を施すことにより、撮影対象部位の動きの大きさや経時変化等を解析することが行われている。解析画像は、例えばモノクロの原画像にカラーの解析結果を重畳する等、カラーモニターに適した形になっているものが多い。
しかし、画像診断においては、長い間モノクロの放射線画像が用いられてきたこともあり、モノクロモニターを昔から使い続けている医療機関は少なくない。また、精度の高い診断を行うために、敢えて専用のモノクロモニターを用いて診断することも多い。このような医療機関では、解析画像をモノクロモニターに表示することになるが、上述したようなカラーモニターに適した解析画像は、モノクロで表示すると解析結果が分かりにくくなってしまう場合もある。
【０００５】
また、モニターは、それぞれ解像度が決まっており、解像度が比較的高いモニターを用いている医療機関もあれば、その逆もある。このため、医療機関によっては、解像度の低いモニターに解析画像を表示することになるが、それでは解析結果が粗く表示され分かりにくくなってしまう。
つまり、解析画像は、表示させる表示装置の性能によっては、診断に適さないものとなってしまう可能性がある。
【０００６】
本発明は、上記の点に鑑みてなされたものであり、放射線画像を解析して得られた解析画像を、使用する表示装置に最適な形で表示できるようにすることを目的とする。
【課題を解決するための手段】
【０００７】
前記の問題を解決するために、本発明に係る放射線画像表示制御装置は、
放射線画像を解析して得られる解析画像を取得する画像取得手段と、
前記解析画像に施すことが可能な複数の画像処理方法の中から何れかを選択する処理方法選択手段と、
選択された画像処理方法で前記解析画像に画像処理を施す画像処理手段と、
画像処理が施された処理済み解析画像を表示装置へ出力する画像出力手段と、を備えることを特徴とする。
【発明の効果】
【０００８】
本発明によれば、放射線画像を解析して得られた解析画像を、使用する表示装置に最適な形で表示することができる。
【図面の簡単な説明】
【０００９】
【図１】本発明の第一実施形態（第二実施形態）に係る放射線撮影システムの概略構成を表すブロック図である。
【図２】図１の放射線撮影システムが備える放射線画像表示制御装置の具体的構成を表すブロック図である。
【図３】図２の放射線画像表示制御装置が実行する表示制御処理を表すフローチャートである。
【図４】図２の放射線画像表示制御装置が格納している処理方法決定テーブルの一例である。
【図５】図１の放射線撮影システムが備える表示装置に表示される放射線画像の一例である。
【図６】図１の放射線撮影システムが備える表示装置に表示される放射線画像の一例である。
【図７】図１の放射線撮影システムが備える表示装置に表示される放射線画像の一例である。
【図８】本発明の第二実施形態の放射線撮影システムが備える放射線画像表示制御装置の具体的構成を表すブロック図である。
【図９】本発明の第三実施形態に係る放射線撮影システムの概略構成を表すブロック図である。
【発明を実施するための形態】
【００１０】
以下、本発明の実施の形態について、図面を参照しながら説明する。ただし、本発明の範囲は、以下の実施形態や図面に記載されたものに限定されるものではない。
【００１１】
＜第一実施形態＞
はじめに、本発明の第一実施形態について、図１〜７を参照しながら詳細に説明する。
【００１２】
〔放射線撮影システム〕
まず、本実施形態に係る放射線撮影システム（以下撮影システム１００）の構成について説明する。図１は撮影システム１００の概略構成を表すブロック図である。なお、図１における括弧書きの符号は、後述する第二実施形態のものである。
【００１３】
本実施形態の撮影システム１００は、図１に示したように、放射線照射装置（以下、照射装置１）と、放射線画像撮影装置（以下、撮影装置２）と、放射線画像解析装置（以下、解析装置３）と、放射線画像表示制御装置（以下表示制御装置４）と、表示装置５と、を備えて構成されている。
【００１４】
照射装置１は、照射制御装置１１と、曝射スイッチ１２と、放射線源（管球）１３と、を備えて構成されている。
照射制御装置１１は、曝射スイッチ１２が押下されたことに基づいて、予め設定された放射線曝射条件（管電圧や管電流、照射時間（ｍＡｓ値）等）に応じた電圧を放射線源１３に印加することが可能に構成されている。
放射線源１３は、図示しない回転陽極やフィラメント等を有している。そして、照射制御装置１１から電圧が印加されると、フィラメントが印加された電圧に応じた電子ビームを回転陽極に向けて照射し、回転陽極が電子ビームの強度に応じた線量の放射線（Ｘ線等）を発生させるように構成されている。
【００１５】
また、照射装置１は、一回の撮影操作（曝射スイッチ１２の押下）に基づいて、所定時間幅のパルス放射線を所定周期で繰り返し照射することが可能に構成されている。
また、照射装置１は、放射線源１３の放射線照射口の向きを変えることが可能となっており、立位の被検者にも臥位の被検者にも放射線を照射する（立位撮影も臥位撮影も行う）ことが可能となっている。
なお、照射装置１は、一回の撮影操作に基づいて、一回だけ放射線を照射する機能を備えていてもよい。
また、照射装置１は、撮影室に据え付けられた固定型のものとしても、車輪を備えた移動型のものとしてもよい。
【００１６】
撮影装置２は、図示しない放射線検出部と、読み出し部と、を備え、放射線画像を生成可能に構成されている。
放射線検出部は、外部から放射線を受けることで放射線の線量に応じた量の電荷を直接的又は間接的に生成する放射線検出素子、及び各放射線検出素子と配線との間に設けられ放射線検出素子と配線との間の通電が可能なオン状態又は通電が不能なオフ状態に切り替え可能なスイッチ素子を有する画素が二次元状に複数配列された基板を有するものであればよく、従来公知のものを用いることができる。
読出し部は、複数の放射線検知素子にそれぞれ蓄積された電荷の量を信号値として読み出し、各信号値を基に放射線画像を画像データの形で生成することが可能に構成されていればよく、従来公知のものを用いることができる。
【００１７】
また、撮影装置２は、照射装置１から受けた放射線に基づく放射線画像を生成することが可能となっている。
放射線が一回だけ照射された場合には一回だけ放射線画像を生成し、放射線が所定周期で複数回繰り返し照射された場合には放射線画像の生成も所定周期で複数回繰り返し行われる。
なお、放射線画像の生成は、他の装置からの信号を受信したことを契機として開始してもよいし、放射線を検知したことを契機として開始してもよい。
【００１８】
解析装置３は、ＰＣや携帯端末、あるいは専用の装置によって、撮影装置２が生成した放射線画像を解析して解析画像を生成することが可能に構成されている。
ここで、「解析」とは、撮影対象部位の動きを評価するための指標や、撮影対象部位の血流や換気機能（肺の場合）を評価するための指標（所定領域における血流の速さ、大きさ、方向、あるいは肺の特定領域の振幅、周期等）を得るための処理等のことを指す。
なお、この解析装置３が行う「解析」の具体的な方法は特に限定されるものではなく、従来公知の方法で解析を行うことが可能に構成することができる。
【００１９】
表示制御装置４は、ＰＣや携帯端末、あるいは専用の装置によって、解析画像を表示装置５の性能に応じた形で表示させることが可能に構成されている。
この表示制御装置４の詳細については後述する。
【００２０】
表示装置５は、ＬＣＤ（Liquid Crystal Display）やＣＲＴ（Cathode Ray Tube）等のモニターにより、表示制御装置４が出力した画像（後述する処理済み解析画像を含む）を表示することが可能に構成されている。
【００２１】
このように構成された本実施形態の撮影システム１００は、照射装置１から、当該照射装置１と撮影装置２との間に配置された被検者へ放射線を照射することにより、被検者の放射線撮影を行うことが可能となっている。
特に、照射装置１から被検者へパルス放射線を繰り返し照射するとともに、撮影装置２において被検者の放射線画像を繰り返し生成することにより、被検者の動態画像を撮影することが可能となっている。以下、動態画像を撮影することを「動態撮影」、動態画像を構成する各放射線画像を「フレーム画像」と称する。
【００２２】
そして、撮影して得られた放射線画像を解析装置３で解析し、その解析結果を含む解析画像を表示装置５に表示することが可能となっている。
表示装置５に表示される解析画像には、解析結果のみが表示された画像や、原画像に解析結果を重畳した重畳画像が含まれる。
【００２３】
また、撮影システム１００には、図示しないコンソール等を組み込むことも可能である。その場合、コンソールの表示部を表示装置５として用いることも可能である。
また、撮影システム１００は、図示しない放射線科情報システム（Radiology Information System：ＲＩＳ）、画像保存通信システム（Picture Archiving and Communication System：ＰＡＣＳ）等と接続して用いることも可能となっている。
【００２４】
〔放射線画像解析装置〕
次に、上記撮影システム１００が備える表示制御装置４の詳細について説明する。図２は表示制御装置４の具体的構成を表すブロック図、図３は表示制御装置４が実行する表示制御処理を表すフローチャートである。なお、図３における括弧書きのステップ番号は、後述する第二実施形態のものである。
【００２５】
表示制御装置４は、図２に示したように、制御部４１と、通信部４２と、記憶部４３と、を備えて構成されている。
これらは、バス４４で接続されている。
【００２６】
制御部４１は、ＣＰＵ（Central Processing Unit）、ＲＡＭ（Random Access Memory）等により構成される。制御部４１のＣＰＵは、記憶部４３に記憶されている各種プログラムを読出してＲＡＭ内に展開し、展開されたプログラムに従って各種処理を実行し、表示制御装置４各部の動作を集中制御する。
【００２７】
通信部４２は、無線モジュール等で構成され、ＬＡＮ（Local Area Network）、ＷＡＮ（Wide Area Network）、インターネット等の通信ネットワークを介して接続された他の装置（撮影装置２や解析装置３、表示装置５等）との間で各種情報（信号やデータ）を送信することが可能となっている。
【００２８】
記憶部４３は、不揮発性の半導体メモリーやハードディスク等により構成され、制御部４１が実行する各種プログラム（後述する撮影制御処理を行うためのプログラムを含む）やプログラムにより処理の実行に必要なパラメーターやテーブル（後述する処理方法決定テーブルを含む）等を記憶している。
【００２９】
このように構成された表示制御装置４の制御部４１は、例えば解析装置３から表示制御装置４へ解析画像を出力したことや、表示制御装置４に所定操作がなされたこと等を契機として、例えば図３に示したような表示制御処理を実行する。
【００３０】
この表示制御処理では、まず、放射線画像を解析して得られる解析画像を解析装置３から通信部４２を介して取得する（ステップＳ１）。
本実施形態における「解析画像」には、モノクロ又はカラーの解析結果のみの画像や、解析を施す前の原画像に解析結果をカラーで重畳した重畳画像等が含まれる。
解析は、被検者の動きを調べるため、動態画像に対して行われる。このため、制御部４１は、解析画像を複数のフレーム画像の形で取得することとなる。
なお、解析画像を解析装置３から直接取得するのではなく、他の装置やメディアに一旦されたものを間接的に取得するようにしてもよい。
このような処理を実行することにより、本実施形態の制御部４１は、本発明における画像取得手段をなす。
【００３１】
解析画像を取得した後は、解析画像に施すことが可能な複数の画像処理方法の中から何れかを選択する（ステップＳ２）。
本実施形態においては、判別した表示装置５の性能に基づいて、画像処理方法を自動で選択するようになっている。
【００３２】
この処理では、まず、接続されている表示装置５の性能を判別する。
表示装置５の性能を示す情報は、表示制御装置４を表示装置５と接続した際に、表示装置５から受信する信号やデータ等から取得することとなる。
本実施形態においては、表示装置５の性能として、モノクロ表示を行うか、カラー表示を行うかを判別するようになっている。
また、本実施形態においては、画面の解像度から表示装置５が第一解像度よりも低い廉価、第一解像度以上で第二解像度よりも低い標準、第二解像度以上の高精細、のいずれであるかを判別するようになっている。
【００３３】
このような判別を行うことにより、制御部４１は、接続されている表示装置５を、例えば下記（１）〜（５）のうちのいずれかに分類することになる。
（１）モノクロ高精細
（２）モノクロ標準
（３）カラー高精細
（４）カラー標準
（５）カラー廉価
【００３４】
なお、本実施形態では、色と解像度の両方を判別することとしたが、これらのいずれかを判別する構成としてもよい。
また、表示装置５がカラー表示するものである場合には、更に表示可能な色の数を判別するようにしてもよい。
また、本実施形態では、解像度を３段階に分類したが、２段階又は４段階以上に分類してもよい。
このような処理を実行することにより、本実施形態の制御部４１は、本発明における表示装置情報判別手段をなす。
【００３５】
表示装置５の性能を判別した後は、例えば図４に示したような処理方法決定テーブルを参照し、表示装置５の分類に対応する画像処理方法を選択する。
具体的には、性能を判別した結果、表示装置５がモノクロ高精細に分類されるものであった場合には、特に画像処理を施さない。
一方、表示装置５がそれ以外に分類されるものであった場合には、解析結果を補間強調する、解析結果のコントラストを上げる（強調する）、解析結果を密度で表示（集積度）表示する、原画像をぼかす、原画像を輪郭のみとする、（解析結果のみを表示する）、のうちの少なくともいずれかの画像処理を施す。
【００３６】
なお、画像処理方法は、図４の処理方法決定テーブルに記載されたものに限られるわけではなく、その他様々な画像処理を施すことが可能である。
例えば、原画像に変更を加えず解析結果を破線表示する、原画像の輝度を下げる、原画像を非表示にする（解析結果のみを表示する）、解析結果の輝度やコントラストを上げる、原画像と解析結果を分離して原画像のフレーム画像と解析結果のフレーム画像を交互に並べる、といった画像処理を施すようにしてもよい。
このような処理を実行することにより、本実施形態の制御部４１は、本発明における処理方法選択手段をなす。
【００３７】
なお、本実施形態においては、表示装置５の性能に基づいて画像処理方法を選択することとしたが、制御部４１に、解析画像の読影環境を判別する本発明の環境情報判別手段としての機能を持たせ、判別した読影環境に基づいて、画像処理方法を自動で選択するよう構成してもよい。
この「読影環境」は、例えば、表示装置５が設置される部屋の明るさや、主な使用者（診断者）の画質の好み等を指す。これらの情報は、撮影システム１００を設置する際等に予め登録しておく。
なお、この読影環境の判別は、表示装置５の性能判別の代わりに行ってもよいし、表示装置５の性能判別と併せて行ってもよい。
【００３８】
画像処理方法を選択した後は、選択された画像処理方法で解析画像に画像処理を施す（ステップＳ３）。
このような処理を実行することにより、本実施形態の制御部４１は、本発明における画像処理手段をなす。
【００３９】
画像処理を施した後は、画像処理が施された処理済み解析画像を、通信部４２を介して表示装置５へ出力する（ステップＳ４）。
このような処理を実行することにより、本実施形態の制御部４１は、本発明における画像出力手段をなす。
【００４０】
このように構成された放射線撮影システム１００を用いれば、放射線画像の撮影、放射線画像の解析を終えた後、例えば図５〜７に示したような解析画像（（ａ）は換気解析を行った場合、（ｂ）は血流解析を行った場合）が表示装置５に表示される。
すなわち、表示装置５がカラー高精細に分類されるものであった場合には、図５に示したようなそのままの（画像処理を施していない）解析画像が表示される。
一方、表示装置５がモノクロ高精細又はモノクロ標準に分類されるものであった場合には、図６に示したような原画像がぼかされた解析画像が表示される。
なお、表示装置５がカラー標準、カラー廉価又はモノクロ標準に分類されるものであった場合には、図７に示したように、解析結果が密度で表示されるようにしてもよい。
このように、解析画像における原画像又は解析結果の少なくとも一方に、何らかの画像処理を施すことにより、表示装置５が、モノクロ表示を行う場合、あるいは解像度の低いものである場合であっても、解析結果を見やすくすることができる。
【００４１】
このように構成された本実施形態に係る放射線撮影システム１００によれば、放射線画像を解析して得られた解析画像を、使用する表示装置に最適な形で表示することができる。
【００４２】
＜第二実施形態＞
次に、本発明の第二実施形態について、図８を参照しながら説明する。説明する。なお、第一実施形態と同様の構成については同一の符号を付し、その説明を省略する。
【００４３】
上記第一実施形態に係る放射線撮影システム１００の表示制御装置４は、画像処理方法を自動で選択するようになっていたが、本実施形態に係る放射線画像表示制御装置４Ａは、例えば図８に示したように、ユーザーが操作可能な操作部４５を有し、操作部４５になされた操作に基づいて、画像処理方法を選択するようになっている。
【００４４】
操作部４５は、各種キーを備えたキーボードや複数のボタンの他、マウス等のポインティングデバイス、あるいはタッチパネル等で構成され、キーボードに対するキー操作、いずれかのボタン押下、マウス操作、あるいはタッチパネルに対するタッチ操作に応じて入力された操作信号を制御部４１に出力することが可能に構成されている。
なお、操作部を放射線画像表示制御装置４Ａに備えるのではなく、解析装置３や表示装置５に備えるようにしてもよい。
【００４５】
また、本実施形態における表示制御処理では、ステップＳ２Ａ（図３参照）において、
例えば表示装置５等に、複数の表示装置５の分類を選択肢として表示し、操作部４５に操作がなされるまで待機する。
その後、接続されている表示装置５の分類を確認したユーザーによって操作部４５が操作される（所望の選択肢に対応するボタンやキーが押下される、選択肢の表示位置がタッチあるいはクリックされる）と、なされた操作に対応する画像処理方法を選択する。
【００４６】
なお、表示装置５の分類を選択肢とするのではなく、画像処理方法や、各画像処理方法を施した後の解析画像の見本等を選択肢としてもよい。
また、放射線画像表示制御装置４Ａに、上記第一実施形態のような表示装置５の性能を判別する機能を持たせ、ステップＳ２Ａにおいて、判別結果に基づいて画像処理方法の選択肢を絞り、絞られた選択肢の中からユーザーが選択できるようにしてもよい。
【００４７】
このように構成された本実施形態に係る放射線撮影システム１００Ａによれば、第一実施形態と同様、放射線画像を解析して得られた解析画像を、使用する表示装置に最適な形で表示することができる。
また、ユーザー自身で表示の仕方を選べるので、ユーザーの好みに応じた表示が可能となる。
【００４８】
＜第三実施形態＞
次に、本発明の第三実施形態について、図９を参照しながら説明する。なお、第一実施形態と同様の構成については同一の符号を付し、その説明を省略する。
【００４９】
上記第一、第二実施形態に係る放射線撮影システム１００，１００Ａは、表示制御装置４を備えたものとなっていたが、本実施形態に係る放射線撮影システム１００Ｂは、例えば図９に示したように、表示制御装置４を備えておらず、放射線画像解析装置３Ａが、第一，第二実施形態の解析装置３の機能に加え、表示制御装置４の処理方法選択手段や、画像処理手段としての機能も有したものとなっている。
【００５０】
なお、画像処理方法の選択は、放射線画像解析装置３Ａに上記第一実施形態のような表示装置情報判別手段としての機能を持たせて自動で行うようにしてもよいし、上記第二実施形態のようにユーザーの選択に基づいて行うようにしてもよい。
【００５１】
このように構成された本実施形態に係る放射線撮影システム１００Ｂによれば、第一実施形態と同様、放射線画像を解析して得られた解析画像を、使用する表示装置に最適な形で表示することができる。
また、システムを構成する装置や配線の数が少なくなるので、システム構成を簡素にすることができる。
【００５２】
以上、本発明を実施形態に基づいて具体的に説明してきたが、本発明は上記実施形態に限定されるものではなく、その要旨を逸脱しない範囲で適宜変更可能であることは言うまでもない。
【符号の説明】
【００５３】
１００，１００Ａ，１００Ｂ  放射線撮影システム
１  放射線照射装置
１１  照射制御装置
１２  曝射スイッチ
１３  放射線源
２  放射線画像撮影装置
３，３Ａ  放射線画像解析装置
４，４Ａ  放射線画像表示制御装置
４１  制御部
４２  通信部
４３  記憶部
４４  表示部
４５  バス
５  表示装置
【図１】
2020010786.tif 000003
【図２】
2020010786.tif 000004
【図３】
2020010786.tif 000005
【図４】
2020010786.tif 000006
【図５】
2020010786.tif 000007
【図６】
2020010786.tif 000008
【図７】
2020010786.tif 000009
【図８】
2020010786.tif 000010
【図９】
2020010786.tif 000011